(57)【要約】【課題】  ２台の上位装置で共用する通帳伝票プリンタにおいて、両者で同様の印字命令を送信すると、印字された媒体がいずれの上位装置からの命令によって処理されたものかが分からず、係員が媒体に印字された内容を詳細に確認する必要があり、処理時間の増加を招くおそれがあった。【解決手段】  複数の上位装置に接続された通帳伝票プリンタにおいて、いずれの上位装置から送信された印字命令であるかを判別し、媒体排出時に、スキュー補正ローラを使用して媒体を上位装置の設置位置に相当する左右のいずれかの方向にはじいて排出する。これによって媒体の排出状態を区別でき、いずれの上位装置による命令で処理された媒体であるかが容易に判別できる。【選択図】  図１
2014235673.tif 000002
【特許請求の範囲】
【請求項１】
複数の上位装置と接続され、前記上位装置からの印字命令に従って、挿入された媒体に所定の事項を印字して排出する通帳伝票プリンタであって、
媒体に所定の事項を印字する印字部と、
媒体を搬送方向に向かって左右のいずれかに寄せる幅寄せ機構と、
前記複数の上位装置からの印字命令を受信するための複数のインタフェースと、
前記受信した印字命令が前記複数のインタフェースのいずれにおいて受信したかを識別する識別手段と、
を有し、
印字された媒体の排出時に、前記識別手段によって識別した印字命令を送信した前記上位装置に応じて、媒体を排出方向に向かって左右のいずれかに寄せて排出することを特徴とする、通帳伝票プリンタ。
【請求項２】
請求項１に記載の通帳伝票プリンタであって、
前記媒体排出時に、媒体を排出方向に向かって左右のいずれかに傾けて排出することを特徴とする、通帳伝票プリンタ。
【請求項３】
請求項１又は２に記載の通帳伝票プリンタであって、
前記複数のインタフェースに代えて単一のインタフェースで構成し、中継器を介して前記複数の上位装置と接続されていることを特徴とする、通帳伝票プリンタ。
【請求項４】
請求項３に記載の通帳伝票プリンタであって、
前記上位装置から受信する送信電文に含まれる上位装置識別番号によって、いずれの上位装置からの印字命令であるかを判別することを特徴する、通帳伝票プリンタ。
【発明の詳細な説明】
【技術分野】
【０００１】
本発明は、銀行等金融機関の営業店端末において用いられる通帳伝票プリンタに関するものである。
【背景技術】
【０００２】
銀行等の金融機関の営業店においては、来店した顧客に係員が窓口で応対して取引を処理している。係員はパーソナルコンピュータ等の上位装置を操作しつつ、係員用の入出金機や通帳伝票プリンタ等を用いて、入出金処理、振込処理、通帳や伝票等への印刷等を行う。特許文献１（特開２００４−１３９１９２号公報）には、上記係員用の通帳伝票プリンタを係員毎に設けず、例えば、２名の係員の席の間に設け、両者で共用する構成が開示されている。
【０００３】
従来、上位装置２台と通信にて所定の情報の送受信を行う共有の通帳伝票プリンタにおいて、上位装置のどちらの指示の場合も区別なく同様に媒体排出しており、媒体の排出状態に区別がなく、どちらの上位装置の指示によるものか判別することができなかった。
【先行技術文献】
【特許文献】
【０００４】
【特許文献１】特開２００４−１３９１９２号公報
【発明の概要】
【発明が解決しようとする課題】
【０００５】
前記のように従来の技術では、媒体の排出状態に区別がなく、どちらの上位装置の指示によるものか判別することができない為、２台の上位装置の両者において同様の処理を実施した場合に、片方の上位装置の処理によりプリント排出された媒体を、他の上位装置の処理で実施したものと間違ってしまう場合があった。
【０００６】
また、プリント排出された媒体を継続してプリンタに再セットして処理する場合に、どちらの上位装置の指示により処理された媒体か印字結果から詳しく確認する必要があり、継続処理に時間を要していた。
【課題を解決するための手段】
【０００７】
複数の上位装置に接続された通帳伝票プリンタにおいて、いずれの上位装置から送信された印字命令であるかを判別し、媒体排出時に、スキュー補正ローラを使用して媒体を上位装置の設置位置に相当する左右のいずれかの方向にはじいて排出する。これによって媒体の排出状態を区別でき、いずれの上位装置による命令で処理された媒体であるかが容易に判別できる。
【発明の効果】
【０００８】
媒体の排出状態から処理が実施された上位装置を容易に判別できる為、上位装置認識間違いによるオペレーションミスを防止でき、印字結果を詳しく確認する必要もないことから、オペレーションの処理時間を大幅に短縮することができる。
【図面の簡単な説明】
【０００９】
【図１】通帳伝票プリンタの設置状態図
【図２】通帳伝票プリンタの側面図
【図３ａ】媒体幅寄せ機構部の配置図
【図３ｂ】媒体幅寄せ機構部の搬送ローラを開けた時の位置関係図
【図４ａ】媒体を傾けて排出する前の位置関係図
【図４ｂ】媒体を上位装置１側に傾けて排出した時の位置関係図
【図４ｃ】媒体を上位装置２側に傾けて排出した時の位置関係図
【図５ａ】媒体を傾けずに上位装置１側に寄せて排出した時の位置関係図状態図
【図５ｂ】媒体を傾けずに上位装置２側に寄せて排出した時の位置関係図状態図
【図６】インタフェースの中継器を追加した場合の通帳伝票プリンタの設置状態図
【図７】送信電文例を示した図
【図８ａ】媒体の排出処理のフローチャート
【図８ｂ】媒体の排出処理のフローチャート
【図９】通帳伝票プリンタの制御機構を示すブロック図
【発明を実施するための形態】
【００１０】
以下、本発明の実施例を図面を用いて説明する。
【００１１】
図１は、銀行等の金融機関の店舗における、本発明の通帳伝票プリンタの設置状態を上部から見た図である。通帳伝票プリンタ２０は、通帳や伝票等６０に所定の事項を印刷して排出するものであり、印刷命令電文等を送受信するためのインタフェース用ポートを複数（図１では２個）有している。また、通帳伝票プリンタ２０は、インタフェースケーブル４０と５０により、その両側に配置された銀行員（係員）が使用する上位装置（パーソナルコンピュータ）１０及び２０と接続されており、これらの２個の上位装置で共有して使用される。
【００１２】
図２は、通帳伝票プリンタ２０の側面図である。通帳伝票プリンタ２０は上下に２個の媒体挿入口媒体挿入口２１６ａ及び２１６ｂと、媒体を搬送する搬送路２１３と、挿入された媒体を搬送方向に対して左右いずれかの側面に幅寄せする２つの媒体幅寄せ機構２０７ａ及び２０７ｂと、媒体へ所定の事項を印字する印字機構部２１０と、媒体として通帳が挿入されたときにその頁替えを行う頁替え機構部２１４と、媒体の有無やその端部を検知する複数のセンサ２１１ａ、２１１ｂ、２１２ａ、２１２ｂ、２１５ａ、２１５ｂと、媒体を搬送する複数の搬送ローラ２０８ａ、２０８ｂ、２０９ａ〜２０９ｅとを有している。
【００１３】
図９は、通帳伝票プリンタ２０の制御ブロック図であり、媒体幅寄せ機構部２０７と、搬送部２１３と、磁気データ読み書き部２５０と、印字機構部２１０と、光学読取機構部２６０と、頁替え機構部２１４とが、バス信号線２８０を介して、装置全体を制御する制御部２７０と接続されている。なお、磁気データ読み書き部２５０は、通帳や磁気カードの磁気ストライプデータを読み書きするものであり、光学読取機構部２６０は通帳のバーコードや帳票の内容を光学的に読み取るものであり、図２においては図示を省略している。
【００１４】
図３ａ及び３ｂは、下側の媒体幅寄せ機構部７ａを上側から見た構成図である。なお、上側の媒体幅寄せ機構部７ｂの構成も同一であるため、説明は省略する。
【００１５】
媒体幅寄せ機構部７ａは、主に、スキューアライナーローラ２１８と、それを駆動するスキューアライナーモータ２１８と、媒体６０をスキューアライナーローラ２１８によって搬送方向の左右いずれかの側面に寄せるときの側面のガイドとなる搬送ガイド２２１、２２２と、搬送ローラ２０８と、搬送ローラ２０８を下側に移動させて媒体の挟持を開放する搬送ローラ開閉用カムギヤ２２０と、搬送ローラ開閉用カムギヤ２２０を駆動するステッピングモータ２１９と、を有している。なお、スキューアライナーローラ２１８は図示しないリンク機構等によって、媒体搬送時にはその障害とならないよう、上方に退避させることが可能である。
【００１６】
媒体６０の挿入時は、装置内部での印字処理等の都合上、媒体６０は搬送ガイド２２１もしくは２２２側のいずれの側に側面を揃えて（搬送方向とほぼ並行となるように）寄せられていることが必要であるため、中心付近に挿入された場合は、搬送ローラ２０８にて所定の位置まで媒体を搬送させた後、搬送ローラ２０８を搬送ローラ開閉用カムギヤ２２０にて下側に降ろし（搬送ローラを開状態とし）、スキューアライナーローラ２１８を回転させることによって、搬送ガイド２２１もしくは２２２側のいずれの側に寄せる。
【００１７】
本発明は、媒体の排出時にこの媒体幅寄せ機構部７ａを用いて、排出する媒体を意図的に傾けることによって、左右に設置されたいずれの上位装置からの印字命令に基づくものかを判別できるようにしたものである。
【００１８】
まず、図４ａ〜４ｃを用いて、本実施例における、媒体を左右の上位装置側のいずれかに傾けて挿入口から排出する動作の概要を説明する。挿入口６０から挿入された媒体は、印字機構部２１０にて印字処理等が施された後、挿入口から排出されるよう逆向き（挿入口６０に向かって）搬送される。このとき、媒体６０は片側の搬送ガイド（本実施例では搬送ガイド２２１）に沿って、媒体幅寄せ機構部２０７ａの所定の位置まで搬送される。図３ａの例では、媒体の先端がセンサ２１２を通過してから３０ｍｍ搬送させた時点で停止させている。次に、上方に退避させていたスキューアライナーローラ２１８を降ろして媒体６０に接触させるとともに、搬送ローラ２０８を下方に降ろして媒体６０から離した状態で、スキューアライナーローラ２１８を回転させ、図４ａに示すように媒体６０を搬送ガイド２２１から所定の距離（７ｍｍ）だけ離す。これは、後述する媒体を傾ける処理の際に、媒体の側面と搬送ガイド２２１との間に必要なスペースを確保するためである。  次に、再度、搬送ローラ２０８を上方に移動して媒体６０に接触させる。ここで、いずれの上位装置からの印字指令であるかを判別し、それに応じて媒体６０を搬送ガイド２２１もしくは搬送ガイド２２２のいずれかに傾けて挿入口２１６ａから排出させる。
【００１９】
すなわち、搬送ガイド２２１側に傾けて排出させる場合は、媒体６０が搬送ガイド２２１側に寄るようにスキューアライナーローラ２１８を回転させるとともに、搬送ローラ２０８を媒体６０が排出される方向に回転させる。これによって、図４ｂに示すように、媒体６０の先端（挿入口２１６側）が搬送ガイド２２１側に斜めに傾いた状態となって挿入口２１６ａから排出される。
【００２０】
一方、搬送ガイド２２２側に傾けて排出させる場合は、媒体６０が搬送ガイド２２２側に寄るようにスキューアライナーローラ２１８を回転させるとともに、搬送ローラ２０８を媒体６０が排出される方向に回転させる。これによって、図４ｃに示すように、媒体６０の先端（挿入口２１６側）が搬送ガイド２２２側に斜めに傾いた状態となって挿入口２１６ａから排出される。
【００２１】
上記の媒体６０を傾ける方向を、上位装置の設置位置に合わせることによって、いずれの上位装置からの命令によって印字された媒体であるかを判別することができる。
【００２２】
次に、図８ａ及び図８ｂのフローチャートを用いて、本実施例における媒体の挿入から排出に至る全体的な処理の詳細を説明する。
【００２３】
銀行等金融機関の取引を行う係員が上位装置１０又は３０を使用して取引データを入力して取引を実行すると、インタフェースケーブル４０又は５０を通して取引情報（印字命令）が通帳伝票プリンタ２０に送信される。通帳伝票プリンタ２０は、取引情報を受信すると媒体セット待ち状態となる（ステップＳ８０１）。係員により媒体６０が通帳伝票プリンタ２０の挿入口２１６ａにセット（ステップＳ８０２）されると、セットされた媒体６０は、媒体幅寄せ機構部２０７ａのスキューアライナーローラ２１８を回転させることにより、基準側の搬送ガイド２２１にまっすぐ突き当てられ（ステップＳ８０３）、媒体セット完了となる。この時、スキューアライナーローラ２１８は媒体６０に接触しないよう、上方に退避させる。
【００２４】
その後、媒体６０搬送ローラ２０８、２０９によって吸入され（ステップＳ８０４）、印字機構部１０の印字開始位置まで搬送ガイド２２１に沿って搬送される（ステップＳ８０５）。そして、印字機構部８１０にて上位装置１０又は３０から送信された取引情報を媒体６０に印字する（ステップＳ８０６、Ｓ８０７）。
【００２５】
印字終了後、媒体６０は搬送ガイド２２１に沿いながら挿入口16に向かって搬送され（ステップＳ８０８）、媒体の有無を検知するセンサ８１２を通過後、所定の距離（本実施例では３０ｍｍ）搬送した位置で停止する（ステップＳ８０９、Ｓ８１０）。なおこれは図３ａに示した状態である。
【００２６】
その後、上方に退避していたスキューアライナーローラ２１８を、媒体６０に接触するまで降ろす（ステップＳ８１１）。そして、図３ｂに示すように、搬送ローラ２０８を下方に移動し、媒体６０と接触しないようにする（ステップＳ８１２）。なお、本実施例において、この状態を搬送ローラ２０８を開く、もしくは、開状態と称する（逆に、接触させる状態を閉状態とも称する）。
【００２７】
次に、スキューアライナーローラ２１８を、媒体６０が搬送ガイド２２１から離れる方向、すなわち、ステップＳ８０３の幅寄せ処理とは逆方向に回転させ（ステップＳ８１３）、媒体６０が搬送ガイド２２１から平行に所定の距離（本実施例では７ｍｍ）離れるまで平行移動させる（ステップＳ８１４、Ｓ８１５）。その後、搬送ローラ２０８が再度、媒体６０に接触するように上方に移動させ、搬送ローラ２０８を閉状態とする（ステップＳ８１６）。
【００２８】
ここで、印字命令がいずれの上位装置１０又は３０から送信されたものであるかを判断する（ステップＳ８１７）。例えば、印字命令を受信したインタげースのポートを識別することによって、いずれの上位装置１０又は２０のいずれによって送信されたものかを判定することができる。もちろん、いずれのポートで印字命令を受信した場合に、搬送ガイド２２１及び２２２のいずれか側に傾けて排出させるかは、別途、設定することが可能である。なお、本実施例では、搬送ガイド２２１側に上位装置１０が設置され、搬送ガイド２２２側に上位装置３０が設置されているものとして説明する。
【００２９】
上位装置１０から印字命令を受けた場合は、媒体６０を搬送ガイド２２１に突き当てる方向にスキューアライナーローラ２１８を回転すると同時に、搬送ローラ２０８も媒体を排出する方向に回転させることにより、上位装置１０側に媒体後端（排出側）を傾けて搬送し（ステップＳ８１８ａ）、媒体の有無を検知するセンサ２１１が媒体無を検知するまで搬送して排出する（ステップＳ８１９ａ）。
【００３０】
一方、位装置３０から印字命令を受けた場合は、媒体６０を搬送ガイド２２２に突き当てる方向にスキューアライナーローラ２１８を回転すると同時に、搬送ローラ２０８も媒体を排出する方向に回転させることにより、上位装置３０側に媒体後端（排出側）を傾けて搬送し（ステップＳ８１８ｂ）、媒体の有無を検知するセンサ２１１が媒体無を検知するまで搬送して排出する（ステップＳ８１９ｂ）。
【００３１】
その後、スキューアライナーモータ２１７の回転を停止するとともに、搬送ローラ２０８の回転も停止させ（ステップＳ８２０）、媒体６０の排出処理を終了させる（ステップＳ８２１）。
【００３２】
以上説明したように本実施例によれば、２個の上位装置で共用される通帳伝票プリンタにおいて、印字命令を送信した上位装置が配置された側に媒体を傾けて排出するので、上位装置を使用する係員は、自分が印字させた媒体を容易に判別することができる。
＜変形例１＞
上記実施例の変形例として、媒体を傾けずに単に搬送ガイド２２１もしくは２２２のいずれかの側に寄せて排出させることも可能である。すなわち、印字命令が上位装置１０によって送信された場合は、図５ａに示すように媒体６０を搬送ガイド２２１側に寄せて排出し、印字命令が上位装置３０によって送信された場合は、図５ｂに示すように媒体６０を搬送ガイド２２２側に寄せて排出する。
【００３３】
より具体的には、媒体６０の排出処理において、上位装置１０から印字命令を受けた場合は、媒体を上位装置１０側である搬送ガイド２２１に突き当てたまま、媒体６０の有無を検知するセンサ２１１が媒体無を検知するまで搬送させて排出する。
【００３４】
また、上位装置３０から印字命令を受けた場合は、媒体を所定の位置まで搬送させた後、上部に退避させていたスキューアライナーローラ２１８を媒体６０に接触するまで降ろすとともに、搬送ローラ２０８は開状態とする。この状態で、媒体６０を上位装置３０側である搬送ガイド２２２に突き当てる方向にスキューアライナーローラ２１８を回転し、媒体６０を搬送２２２22に突き当てたまま、媒体の有無を検知するセンサ２１１１が媒体無を検知するまで搬送させて排出する。
＜変形例２＞
図６に示すように、通帳伝票プリンタ２０Ａのインタフェースのポートを１個とし、中継器２３を介して上位装置１０及び３０と接続することもできる。この場合、中継器２３は、通帳伝票プリンタ２０Ａに対して、印字命令が上位装置１０及び３０のいずれかから送信されたものであるかを伝える手段を有する。もしくは、上位装置１０及び３０からの印字命令に、上位装置の識別番号上方を含ませることによって、印字命令を送信した上位装置を識別することも可能である。図７は、このような上位装置識別番号を含む、上位装置からの送信電文のフォーマット例である。
【符号の説明】
【００３５】
１０、３０：上位装置
２０：通帳伝票プリンタ
６０：媒体
２０７ａ、２０７ｂ：媒体幅寄せ機構
２０８：搬送ローラ
２１６：挿入口
２１８：スキューアライナーローラ
２２１、２２２：搬送ガイド
【図１】
2014235673.tif 000003
【図２】
2014235673.tif 000004
【図３ａ】
2014235673.tif 000005
【図３ｂ】
2014235673.tif 000006
【図４ａ】
2014235673.tif 000007
【図４ｂ】
2014235673.tif 000008
【図４ｃ】
2014235673.tif 000009
【図５ａ】
2014235673.tif 000010
【図５ｂ】
2014235673.tif 000011
【図６】
2014235673.tif 000012
【図７】
2014235673.tif 000013
【図８ａ】
2014235673.tif 000014
【図８ｂ】
2014235673.tif 000015
【図９】
2014235673.tif 000016